(57)【要約】【課題】接続端子を保護しつつ容易に嵌合することができる低挿入力コネクタを提供する。【解決手段】低挿入力コネクタ１は、プラグコネクタハウジング１０とレセプタクルコネクタハウジング２０とから構成され、プラグコネクタハウジング１０の嵌合本体部１１には突起部３０が備えられ、レセプタクルコネクタハウジング２０の嵌合部２１には第１スリット部２２と第２スリット部２３と蓋部４０とリブ５１，５２とが備えられている。蓋部４０は、凹部４５に沿って嵌合部２１の内側と外側に移動及び凸部４４を中心として回動することができる構造からなり、第１スリット部２２に挿入された突起部３０に一端部４１を当接し、嵌合方向にてこの原理を利用して突起部３０を押圧することにより嵌合本体部１１を嵌合部２１の内側に完全嵌合させることができると共に嵌合まで嵌合部２１の開口部２５を塞ぐ状態で備えられているため、接続端子の折損等を防止することができる。【選択図】  図１
2004199906.tif 000002
【特許請求の範囲】
【請求項１】
プラグコネクタハウジングと、
このプラグコネクタハウジングと嵌合するレセプタクルコネクタハウジングとを有し、
前記プラグコネクタハウジングは、
側壁を有しこの側壁に沿って前記レセプタクルコネクタハウジングと嵌合する嵌合本体部と、この嵌合本体部の側壁に設けられた前記側壁の外面に突設された突起部とを備え、
前記レセプタクルコネクタハウジングは、
壁部を有しこの壁部に沿って前記プラグコネクタハウジングの嵌合本体部が内側に嵌合し、嵌合時に前記突起部が嵌合方向に移動可能となるように前記壁部に第１スリット部が形成された縦断面が凹状の嵌合部と、
この第１スリット部が形成された壁部に設けられた、嵌合時に前記第１スリット部に挿入された前記突起部を前記嵌合方向に押圧して前記嵌合本体部を前記嵌合部に完全嵌合するための蓋部と、この蓋部を前記嵌合部の内側及び外側にスライド自在に移動可能とするための第２スリット部が形成され、前記第２スリット部のスリット形状に沿って前記壁部と直交する方向に突出させて前記蓋部を前記壁部の外面側で支持する一対のリブとを備え、
前記蓋部は、嵌合時に一端部が前記突起部と当接しこの突起部を前記第１スリット部のスリット形状に沿って前記嵌合方向に移動させる作用点となり且つ他端部が力点となるように、前記一端部及び他端部の間に前記壁部の外面に沿った方向に回転軸を形成する状態で前記壁部の外面側で回動可能であると共に前記回転軸を支点として前記第２スリット部を通って前記壁部と直交する方向に移動可能な構造を備えて設けられている
ことを特徴とする低挿入力コネクタ。
【請求項２】
前記蓋部は、非嵌合時に前記嵌合部の開口部を塞ぐ状態で前記レセプタクルコネクタハウジングに備えられていることを特徴とする請求項１記載の低挿入力コネクタ。
【請求項３】
前記突起部は、前記嵌合本体部の一対の対向する側壁にそれぞれ設けられ、
前記第１及び第２スリット部並びに蓋部は、前記嵌合部の一対の対向する壁部にそれぞれ設けられている
ことを特徴とする請求項１又は２記載の低挿入力コネクタ。
【請求項４】
前記蓋部は、前記一端部及び他端部の間に、前記回転軸を形成する互いに反対方向に突出する複数の凸部を備え、
前記一対のリブの対向端部及びこの対向端部と連続する前記第２スリット部の対向端部並びにこの対向端部と連続する前記嵌合部の対向内壁には、前記複数の凸部がそれぞれ移動可能な状態で嵌合する前記壁部に対して直交する方向に溝状に延びる一対の凹部が形成されている
ことを特徴とする請求項１〜３のいずれか１項記載の低挿入力コネクタ。
【請求項５】
前記蓋部は、前記一端部及び他端部の間の前記一端部及び他端部を結ぶ方向と直交する方向の一対の端面に、前記蓋部の外形に沿って溝状に延びる一対の凹部を備え、
前記一対のリブの対向端部には、前記蓋部の一対の凹部とそれぞれ嵌合する互いに対向する方向に突出する一対の凸部が形成され、
前記蓋部の一端部には、嵌合時に前記突起部と当接する当接片が形成されている
ことを特徴とする請求項１〜３のいずれか１項記載の低挿入力コネクタ。
【請求項６】
前記嵌合本体部は、前記側壁に係合穴を備え、前記蓋部は、前記他端部側にこの係合穴と係合する係合突起を備え、
前記嵌合本体部及び嵌合部は、前記嵌合本体部及び嵌合部の完全嵌合時にこれら係合穴及び係合突起が係合することで、前記蓋部が前記蓋部の長手方向が前記嵌合部の壁部の外面に沿った状態でその一端部が前記突起部と当接したまま完全嵌合される
ことを特徴とする請求項１〜５のいずれか１項記載の低挿入力コネクタ。
【発明の詳細な説明】
【０００１】
【発明の属する技術分野】
この発明は、プラグコネクタハウジング及びレセプタクルコネクタハウジング同士を相互に容易に嵌合させたり、離脱させたりすることができる低挿入力コネクタに関する。
【０００２】
【従来の技術】
現在、エレクトロニクス化の急速な発展により、例えば自動車に搭載されるワイヤハーネスなどにおいても回路数（電線数）が年々増加する傾向にある。回路数の増加に伴い、ワイヤハーネスの端末部に取り付けられるコネクタも多極化（内蔵接続端子数の増加）が進展し、図８に示すような多極コネクタが多く使用されるようになってきた。この多極コネクタ１００は、内部に複数のレセプタクル接続端子（図示せず）を収容するための端子収容孔１０１が形成されたプラグコネクタハウジング１１０と、このプラグコネクタハウジング１１０が内側に嵌合すると共に内部に複数のプラグ接続端子１０２を収容するための端子収容孔（図示せず）が形成されたレセプタクルコネクタハウジング１２０と、このレセプタクルコネクタハウジング１２０に別途取り付けられたレバー１３０とから構成されている。この多極コネクタ１００のように、接続する接続端子数が増えれば、プラグコネクタハウジング１１０及びレセプタクルコネクタハウジング１２０同士の嵌合時／離脱（抜去）時の接触抵抗が増加するため、両者の嵌合時の挿入力及び離脱時の引抜力（抜去力）もより高くなってしまう。そこで、これらの挿入力及び引抜力を低く抑えるために、レバー１３０等の倍力機構を備え、例えばプラグコネクタハウジング１１０の側面に突起１１１を形成し、レバー１３０にこの突起１１１と嵌合すると共にこの突起１１１をレセプタクルコネクタハウジング１２０の奥側に移動させるための溝１２１を形成して、レバー１３０を動かすことによりてこの原理を利用して両者を嵌合／離脱するようにしたいわゆるレバー式コネクタが知られている（例えば、特許文献１及び２参照。）。
【０００３】
【特許文献１】
特許第２７６２８９７号公報（第２−３頁、第１−５図）
【特許文献２】
特許第２９５６４９８号公報（第３−５頁、第１−１２図）
【０００４】
【発明が解決しようとする課題】
しかしながら、このようなレバー式コネクタに備えられているレバー１３０等の倍力機構は、その倍力機構を動作させるためのスペースを確保する必要があると共に、てこの作用を大きくするために倍力機構を大きく（例えば、レバー１３０を大きくしたり、溝１２１を長くしたり）構成しなければならないため、レバー式コネクタ自体が大きくなる傾向にある。また、レバー式コネクタでは、プラグコネクタハウジング１１０及びレセプタクルコネクタハウジング１２０の他に別部品でレバー１３０を製造しコネクタに取り付けなければならないため、別途レバー成型金型などの製造設備が必要となり安価に製造することが困難である。更に、多極化が進めば一本当たりのプラグ接続端子１０２やレセプタクル接続端子の太さが細くなり接続端子自体の強度が低くなるため、両コネクタハウジング１１０，１２０の嵌合開始時に接続端子が折れ曲がって接続不良が発生するおそれがある。
【０００５】
この発明は、このような問題点に鑑みてなされたもので、適度な大きさで安価に製造することができると共に容易に嵌合／離脱を行うことができ、更に嵌合までの接続端子の保護機能を備えた低挿入力コネクタを提供することを目的とする。
【０００６】
【課題を解決するための手段】
この発明に係る低挿入力コネクタは、プラグコネクタハウジングと、このプラグコネクタハウジングと嵌合するレセプタクルコネクタハウジングとを有し、前記プラグコネクタハウジングは、側壁を有しこの側壁に沿って前記レセプタクルコネクタハウジングと嵌合する嵌合本体部と、この嵌合本体部の側壁に設けられた前記側壁の外面に突設された突起部とを備え、前記レセプタクルコネクタハウジングは、壁部を有しこの壁部に沿って前記プラグコネクタハウジングの嵌合本体部が内側に嵌合し、嵌合時に前記突起部が嵌合方向に移動可能となるように前記壁部に第１スリット部が形成された縦断面が凹状の嵌合部と、この第１スリット部が形成された壁部に設けられた、嵌合時に前記第１スリット部に挿入された前記突起部を前記嵌合方向に押圧して前記嵌合本体部を前記嵌合部に完全嵌合するための蓋部と、この蓋部を前記嵌合部の内側及び外側にスライド自在に移動可能とするための第２スリット部が形成され、前記第２スリット部のスリット形状に沿って前記壁部と直交する方向に突出させて前記蓋部を前記壁部の外面側で支持する一対のリブとを備え、前記蓋部は、嵌合時に一端部が前記突起部と当接しこの突起部を前記第１スリット部のスリット形状に沿って前記嵌合方向に移動させる作用点となり且つ他端部が力点となるように、前記一端部及び他端部の間に前記壁部の外面に沿った方向に回転軸を形成する状態で前記壁部の外面側で回動可能であると共に前記回転軸を支点として前記第２スリット部を通って前記壁部と直交する方向に移動可能な構造を備えて設けられていることを特徴とする。
【０００７】
この発明によれば、従来のレバー等の倍力機構の代わりに突起部をプラグコネクタハウジングに備えると共にこの突起部が移動する第１スリット部、蓋部が通る第２スリット部、蓋部を支持する一対のリブ及び突起部を嵌合方向に押圧する蓋部をレセプタクルコネクタハウジングに備え、嵌合部の壁部の外面に沿った方向に回転軸を形成する状態で回動可能且つ壁部に対して直交する方向に回転軸を支点として第２スリット部を通って移動可能な蓋部で突起部を嵌合方向に押し込むようにして両コネクタハウジングを嵌合する。このため、従来のレバー等の倍力機構に比べ、蓋部を動かすための余分なスペースなどを少なくすることができる。また、蓋部が突起部に対して、てこのような役割を果たすため、低い挿入力でハウジング同士を容易に嵌合することが可能となる。これにより、別途作製された別部品であり且つ大柄なレバー等で倍力機構を構成していた場合と比較して、少ないスペースでハウジング同士の嵌合を容易に行うことができる低挿入力コネクタを適度な大きさで構成し安価に製造することができるようになる。
【０００８】
なお、この低挿入力コネクタの蓋部は、非嵌合時に嵌合部の開口部を塞ぐ状態でレセプタクルコネクタハウジングに備えられていることが好ましい。この蓋部は、嵌合部の内側と外側に移動可能な構造を有しているため、例えば非嵌合時に嵌合部の開口部を塞ぐような状態で嵌合部に取り付けられていれば、両コネクタハウジングの嵌合までの間、効果的に接続端子を折損等から保護することが可能となる。
【０００９】
また、突起部は、嵌合本体部の一対の対向する側壁にそれぞれ設けられ、第１及び第２スリット部並びに蓋部は、嵌合部の一対の対向する壁部にそれぞれ設けられていることが好ましい。このようにすれば、両コネクタハウジングの嵌合に際して複数の蓋部を同期させて嵌合動作を行うことができ、嵌合時のねじれやよじれの発生をより抑えることが期待できる。
【００１０】
なお、この発明の低挿入力コネクタにおいては、例えば▲１▼蓋部が一端部及び他端部の間に、回転軸を形成する互いに反対方向に突出する複数の凸部を備え、一対のリブの対向端部及びこの対向端部と連続する第２スリット部の対向端部並びにこの対向端部と連続する嵌合部の対向内壁には、複数の凸部がそれぞれ移動可能な状態で嵌合する壁部に対して直交する方向に溝状に延びる一対の凹部が形成されていること、又は▲２▼蓋部が一端部及び他端部の間の一端部及び他端部を結ぶ方向と直交する方向の一対の端面に、蓋部の外形に沿って溝状に延びる一対の凹部を備え、一対のリブの対向端部には、蓋部の一対の凹部とそれぞれ嵌合する互いに対向する方向に突出する一対の凸部が形成され、蓋部の一端部には、嵌合時に突起部と当接する当接片が形成されていることが好ましい。
【００１１】
更に、嵌合本体部が側壁に係合穴を備え、蓋部が他端部側にこの係合穴と係合する係合突起を備え、嵌合本体部及び嵌合部は、嵌合本体部及び嵌合部の完全嵌合時にこれら係合穴及び係合突起が係合することで、蓋部が蓋部の長手方向が嵌合部の壁部の外面に沿った状態でその一端部が突起部と当接したまま完全嵌合されることが好ましい。
【００１２】
【発明の実施の形態】
以下、添付の図面を参照して、この発明の好ましい実施の形態を説明する。
図１は、この発明の一実施形態に係る低挿入力コネクタを示す外観斜視図及び一部拡大斜視図、図２〜図４は、この低挿入力コネクタにおける嵌合動作を説明するための一部断面図である。
図１〜図４に示すように、低挿入力コネクタ１は、プラグコネクタハウジング１０とレセプタクルコネクタハウジング２０とから構成されている。プラグコネクタハウジング１０は、側壁９ａ，９ｂを有しこの側壁９ａ，９ｂに沿ってレセプタクルコネクタハウジング２０と嵌合する嵌合本体部１１と、この嵌合本体部１１の両側壁９ａ，９ｂの外面側にそれぞれ設けられた、壁部９ａ，９ｂの外面から突出する段部３１が形成された突起部３０と、同様に側壁９ａ，９ｂの嵌合本体部１１の基端部１１ｂ側に設けられた、後述する蓋部の係合突起と係合する係合穴３９を有する係合片３８とから構成されている。このプラグコネクタハウジング１０には、例えば複数のレセプタクル接続端子４をプラグコネクタハウジング１０内に収容するための複数の端子収容孔１４が形成されている。また、このプラグコネクタハウジング１０には、レセプタクルコネクタハウジング２０との完全嵌合時に両コネクタハウジング１０，２０を係止固定するためのロック機構を後述するロック凹部と共に構成するロック凸部１２を有する弾性係止片１３が形成されている。
【００１３】
一方、レセプタクルコネクタハウジング２０は、壁部８ａ，８ｂを有しこの壁部８ａ，８ｂに沿ってプラグコネクタハウジング１０の嵌合本体部１１が内側に嵌合し、嵌合時に嵌合本体部１１の突起部３０が嵌合方向に移動可能となるように壁部８ａ，８ｂに第１スリット部２２が形成された縦断面が凹状の嵌合部２１と、この第１スリット部２２が形成された壁部８ａ，８ｂに設けられた、例えば両コネクタハウジング１０，２０の非嵌合時に嵌合部２１の開口部２５を塞ぐ状態（図２（ａ）参照）となると共に嵌合時に第１スリット部２２に挿入された突起部３０のを嵌合方向に押圧して嵌合本体部１１を嵌合部２１の内側に完全嵌合するために壁部８ａ，８ｂに対して直交する方向に移動可能な構造からなる複数の蓋部４０と、これら蓋部４０を嵌合部２１の内側及び外側にスライド自在に移動可能とするための第２スリット部２３と、蓋部４０を壁部８ａ，８ｂの外面側で支持するために、第２スリット部２３のスリット形状に沿って壁部８ａ，８ｂの外面から壁部８ａ，８ｂと直交する方向に突出する一対のリブ５１，５２とを備えて構成されている。このレセプタクルコネクタハウジング２０には、例えば複数のプラグ接続端子３をレセプタクルコネクタハウジング２０内に収容するための複数の端子収容孔２４が形成されている。また、レセプタクルコネクタハウジング２０には、プラグコネクタハウジング１０との完全嵌合時に両コネクタハウジング１０，２０を係止固定するためのロック機構を上記ロック凸部１２と共に構成するロック凹部２６が形成されている。
【００１４】
蓋部４０は、この例では、嵌合時に一端部４１が突起部３０の段部３１と当接しこの突起部３０を第１スリット部２２のスリット形状に沿って嵌合方向に移動させる作用点となり且つ他端部４２が力点となるように、一端部４１と他端部４２との間に壁部８ａ，８ｂの外面に沿った方向に回転軸を形成する状態で壁部８ａ，８ｂの外面側で回動可能であると共にこの回転軸を支点として第２スリット部２３を通って壁部８ａ，８ｂと直交する方向に移動可能な構造の板状部材からなる。即ち、蓋部４０は、一端部４１及び他端部４２の間に、回転軸を形成する互いに反対方向に突出する複数の凸部４４を備えてなり、これら複数の凸部４４に対応して嵌合部２１の壁部８ａ，８ｂには、壁部８ａ，８ｂの外面から壁部８ａ，８ｂと直交する方向に突出する一対のリブ５１，５２が形成され、これら一対のリブ５１，５２の対向端部と、この対向端部と連続する第２スリット部２３の対向端部と、この対向端部と連続する嵌合部２１の対向内壁には、複数の凸部４４がそれぞれ移動可能な状態で嵌合する壁部８ａ，８ｂに対して直交する方向に溝状に延びる一対の凹部４５が形成されている。このように、複数の凸部４４と一対の凹部４５とがそれぞれ嵌合することにより、蓋部４０は嵌合部２１の壁部８ａ，８ｂの外面側で回動し、嵌合部２１の内側と外側に移動可能な構造で備えられている。
【００１５】
なお、蓋部４０の他端部４２には、係合突起３７が形成されており、両コネクタハウジング１０，２０の完全嵌合時にこの係合突起３７が嵌合本体部１１の側壁９ａ，９ｂの基端部１１ｂ側に形成された係合片３８の係合穴３９と係合し、蓋部４０が嵌合部２１に係止固定される構造となっている。
【００１６】
このように構成された低挿入力コネクタ１における両コネクタハウジング１０，２０の嵌合動作は、図２〜図４に示すようにして行われる。まず、図２（ａ）に示すように、プラグコネクタハウジング１０の嵌合本体部１１が、レセプタクルコネクタハウジング２０の嵌合部２１の内側に嵌ると共に、嵌合本体部１１の側壁９ａ，９ｂに形成された突起部３０が第１スリット部２２に挿入されるように、両コネクタハウジング１０，２０を嵌合方向に近づける。このとき、レセプタクルコネクタハウジング２０の嵌合部２１に備えられた蓋部４０は、嵌合部２１の開口部２５を塞ぐ状態で備えられており、複数のプラグ接続端子３は嵌合部２１の内側で露出しない状態となっている。そして、両コネクタハウジング１０，２０を更に嵌合方向に近づけると、突起部３０が第１スリット部２２に嵌った状態で嵌合本体部１１の先端部１１ａが嵌合部２１の内側で蓋部４０と当接した状態となる。このとき、未だプラグ接続端子３は蓋部４０により露出しないように覆われて保護された状態であるため、嵌合時に嵌合本体部１１が嵌合部２１の内側に嵌ることによりプラグ接続端子３が折損されるということは回避することができる。そして、嵌合本体部１１の先端部１１ａが蓋部４０と当接した後、同図（ｂ）に示すように、蓋部４０をそれぞれ第２スリット部２３を通して壁部８ａ，８ｂと直交する図中矢印Ａ方向に移動させ、蓋部４０の一端部４１が第１スリット部２２を移動してくる突起部３０と干渉してしまうことを防止しながら嵌合本体部１１を嵌合部２１の内側に更に嵌めるようにする。このとき、嵌合本体部１１は、突起部３０と第１スリット部２２とで嵌合部２１に対する嵌合時の位置決めがなされているため、プラグ接続端子３とレセプタクル接続端子４とが嵌合時の位置ずれにより折損されるということも回避することができる。なお、このとき両コネクタハウジング１０，２０は、プラグコネクタハウジング１０のレセプタクル接続端子４とレセプタクルコネクタハウジング２０のプラグ接続端子３とが僅かに嵌合した初期嵌合状態となる。
【００１７】
次に、図３（ａ）に示すように、蓋部４０を上記Ａ方向と反対の図中矢印Ｂ方向に移動し、一端部４１が突起部３０の段部３１に当接するようにして、同図（ｂ）に示すように、蓋部４０を図中矢印Ｃ方向にそれぞれ回動する。このとき、てこの作用で、突起部３０は蓋部４０の一端部４１により嵌合方向に押圧されて嵌合本体部１１が嵌合部２１の内側に更に嵌合される。そのまま、蓋部４０を動かし続けると、図４（ａ）に示すように、嵌合本体部１１が嵌合部２１の内側に完全に嵌合される。そして、蓋部４０の他端部４２に形成された係合突起３７と嵌合本体部１１に形成された係合片３８の係合穴３９とを係合すると、同図（ｂ）に示すように、蓋部４０がその長手方向が嵌合部２１の壁部８ａ，８ｂの外面に沿った状態で係止固定されると共に嵌合本体部１１とも係止固定され、両コネクタハウジング１０，２０の完全嵌合状態が強固に保持される。
【００１８】
このように、この低挿入力コネクタ１によれば、嵌合部２１の第１スリット部２２に挿入された嵌合本体部１１の突起部３０を、蓋部４０を動かして嵌合方向に移動させるという簡単な動作で両コネクタハウジング１０，２０を完全嵌合することができる。また、蓋部４０の動作範囲は、従来のレバー等に比べると小さいので、結果的に動作スペースを小さくすることができると共にコネクタの大きさを小さくすることができる。更に、両コネクタハウジング１０，２０の非嵌合時には、蓋部４０が嵌合部２１の開口部２５を塞ぐような状態で嵌合部２１に取り付けられているため、嵌合までのプラグ及びレセプタクル接続端子３，４の折損等を防止することが可能となる。
【００１９】
図５は、この発明の他の実施形態に係る低挿入力コネクタを示す外観斜視図及び一部拡大斜視図、図６及び図７は、この低挿入力コネクタにおける嵌合動作を説明するための一部断面図である。なお、以降において、既に説明した部分と重複する説明は割愛する。
図５〜図７に示すように、この低挿入力コネクタ２は、蓋部４０の一端部４１及び他端部４２を結ぶ方向の一対の端面に、蓋部４０の外形に沿って溝状に延びる一対の凹部４５が形成され、リブ５１，５２の対向端部に、蓋部４０の一対の凹部４５とそれぞれ嵌合する互いに対向する方向に突出する一対の凸部４４が形成され、蓋部４０の一端部４１に嵌合時に嵌合本体部１１の突起部３０と当接する当接片４３が形成されている点が、先の例の低挿入力コネクタ１と相違している。この低挿入力コネクタ２によれば、嵌合本体部１１が嵌合部２１の内側に嵌り突起部３０が第１スリット部２２に挿入されるように両コネクタハウジング１０，２０を嵌合方向に近づけ、同図（ｂ）に示すように、蓋部４０をそれぞれ第２スリット部２３を通して図中矢印Ａ方向に移動させたうえで嵌合本体部１１を嵌合部２１の内側に更に嵌め込み、図７（ａ）に示すように、蓋部４０を元に戻した後に図中矢印Ｃ方向に回動させ、当接片４３と突起部３０とを当接しながら突起部３０を嵌合方向に押圧して嵌合本体部１１と嵌合部２１とを完全嵌合する。これにより、先の例の低挿入力コネクタ１と同様に、てこの作用を利用して両コネクタハウジング１０，２０同士の完全嵌合を行うことができると共に、嵌合までの接続端子の折損等を効果的に防止することができる。
【００２０】
【発明の効果】
以上述べたように、この発明によれば、従来のレバー等の倍力機構の代わりに突起部をプラグコネクタハウジングに備えると共にこの突起部が移動する第１スリット部、蓋部が通る第２スリット部、蓋部を支持する一対のリブ及び突起部を嵌合方向に押圧する蓋部をレセプタクルコネクタハウジングに備え、嵌合部の壁部の外面に沿った方向に回転軸を形成する状態で回動可能且つ壁部に対して直交する方向に回転軸を支点として第２スリット部を通って移動可能な蓋部で突起部を嵌合方向に押し込むようにして両コネクタハウジングを嵌合する。このため、従来のレバー等の倍力機構に比べ、蓋部を動かすための余分なスペースなどを少なくすることができる。また、蓋部が突起部に対して、てこのような役割を果たすため、低い挿入力でハウジング同士を容易に嵌合することが可能となる。これにより、別途作製された別部品であり且つ大柄なレバー等で倍力機構を構成していた場合と比較して、少ないスペースでハウジング同士の嵌合を容易に行うことができる低挿入力コネクタを適度な大きさで構成し安価に製造することができるようになるという効果を奏する。
【図面の簡単な説明】
【図１】この発明の一実施形態に係る低挿入力コネクタを示す外観斜視図及び一部拡大斜視図である。
【図２】同低挿入力コネクタにおける嵌合動作を説明するための一部断面図である。
【図３】同低挿入力コネクタにおける嵌合動作を説明するための一部断面図である。
【図４】同低挿入力コネクタにおける嵌合動作を説明するための一部断面図である。
【図５】この発明の他の実施形態に係る低挿入力コネクタを示す外観斜視図及び一部拡大斜視図である。
【図６】同低挿入力コネクタにおける嵌合動作を説明するための一部断面図である。
【図７】同低挿入力コネクタにおける嵌合動作を説明するための一部断面図である。
【図８】従来の低挿入力コネクタを示す外観斜視図である。
【符号の説明】１，２…低挿入力コネクタ、３…プラグ接続端子、４…レセプタクル接続端子、８…壁部、９…側壁、１０…プラグコネクタハウジング、１１…嵌合本体部、１２…ロック凸部、１３…弾性係止片、１４，２４…端子収容孔、２０…レセプタクルコネクタハウジング、２１…嵌合部、２２…第１スリット部、２３…第２スリット部、２５…開口部、２６…ロック凹部、３０…突起部、３１…段部、３７…係合突起、３８…係合片、３９…係合穴、４０…蓋部、４１…一端部、４２…他端部、４３…当接片、４４…凸部、４５…凹部、５１，５２…リブ。
【図１】
2004199906.tif 000003
【図２】
2004199906.tif 000004
【図３】
2004199906.tif 000005
【図４】
2004199906.tif 000006
【図５】
2004199906.tif 000007
【図６】
2004199906.tif 000008
【図７】
2004199906.tif 000009
【図８】
2004199906.tif 000010